(57)【要約】【課題】この発明は、ファクシミリの着信があったことをユーザに知らせるための表示灯を表示器を有するユニットに設けることができるとともに、複合機から遠くにいるユーザに対してファクシミリの着信があったことを知らせることができる複合機を提供することを目的とする。【解決手段】少なくとも複写機能およびファクシミリ機能を備えた複合機であって、表示器を有するユニットを備えた複合機において、上記ユニットにファクシミリの着信があったことをユーザに知らせるための表示灯が設けられており、上記ユニットは、ユーザが複合機を操作しているときに表示器に表示される表示内容がユーザから見やすい位置と、複合機本体から離れた場所から表示灯が見やすい位置とに、位置変更自在に複合機本体に取り付けられている。【選択図】図１
2007336589.tif 000002
【特許請求の範囲】
【請求項１】
少なくとも複写機能およびファクシミリ機能を備えた複合機であって、表示器を有するユニットを備えた複合機において、
上記ユニットにファクシミリの着信があったことをユーザに知らせるための表示灯が設けられており、
上記ユニットは、ユーザが複合機を操作しているときに表示器に表示される表示内容がユーザから見やすい位置と、複合機本体から離れた場所から表示灯が見やすい位置とに、位置変更自在に複合機本体に取り付けられており、
上記ユニットは、上記複合機本体から前方に突出した状態で設けられており、上記ユニットを手動操作に基づいて上記各位置に固定させるための固定機構が設けられており、固定機構の操作部が上記ユニットの表示面側と反対側の背面側に配置されていることを特徴とする複合機。
【請求項２】
ファクシミリの着信があったときに、表示灯が点滅せしめられることを特徴とする請求項１に記載の複合機。
【請求項３】
表示灯がＬＥＤからなることを特徴とする請求項１または２のいずれかに記載の複合機。
【発明の詳細な説明】
【技術分野】
【０００１】
この発明は、少なくとも複写機能およびファクシミリ機能を備えた複合機に関する。
【背景技術】
【０００２】
ファクシミリ機能と複写機能とを備えた複合機において、ファクシミリの着信があったことをユーザに知らせるためのＬＥＤ（以下、ＦＡＸ着信通知用ＬＥＤという）が、操作表示ユニットではなく、複合機本体の前面に設けられているものがある。ＦＡＸ着信通知用ＬＥＤを操作表示ユニットではなく、複合機本体の前面に設けている理由は、次の通りである。つまり、操作表示ユニットは上向きに取り付けられているため、操作表示ユニットにＦＡＸ着信通知用ＬＥＤを設けた場合には、ＦＡＸ着信通知用ＬＥＤが点灯せしめられても、複合機から遠くにいるユーザから見えないからである。
【０００３】
このような複合機では、ＦＡＸ着信通知用ＬＥＤを、操作表示ユニットとは別に設ける必要があるため、その製造、組み立てが簡単でないという問題がある。
【発明の開示】
【発明が解決しようとする課題】
【０００４】
この発明は、ファクシミリの着信があったことをユーザに知らせるための表示灯を表示器を有するユニットに設けることができるとともに、複合機から遠くにいるユーザに対してファクシミリの着信があったことを知らせることができる複合機を提供することを目的とする。
【課題を解決するための手段】
【０００５】
請求項１に記載の発明は、少なくとも複写機能およびファクシミリ機能を備えた複合機であって、表示器を有するユニットを備えた複合機において、上記ユニットにファクシミリの着信があったことをユーザに知らせるための表示灯が設けられており、上記ユニットは、ユーザが複合機を操作しているときに表示器に表示される表示内容がユーザから見やすい位置と、複合機本体から離れた場所から表示灯が見やすい位置とに、位置変更自在に複合機本体に取り付けられており、上記ユニットは、上記複合機本体から前方に突出した状態で設けられており、上記ユニットを手動操作に基づいて上記各位置に固定させるための固定機構が設けられており、固定機構の操作部が上記ユニットの表示面側と反対側の背面側に配置されていることを特徴とする。
請求項２に記載の発明は、請求項１に記載の発明において、ファクシミリの着信があったときに、表示灯が点滅せしめられることを特徴とする。
請求項３に記載の発明は、請求項１乃至２に記載の発明において、表示灯がＬＥＤからなることを特徴とする。
【発明の効果】
【０００６】
この発明によれば、ファクシミリの着信があったことをユーザに知らせるための表示灯を表示器を有するユニットに設けることができるとともに、複合機から遠くにいるユーザに対してファクシミリの着信があったことを知らせることができるようになる。
【発明を実施するための最良の形態】
【０００７】
以下、この発明をファクシミリ機能と複写機能とを備えた複合機に適用した場合の実施例について説明する。
【実施例１】
【０００８】
図１は、複合機の外観を示している。
【０００９】
複合機１の前面上部には、左右方向にのびかつ上面が湾曲状に形成されたユニット取り付け部２が形成されている。ユニット取り付け部２には、下面がユニット取り付け部２の上面と同様な湾曲状に形成された横長の操作表示ユニット３が取り付けられている。
【００１０】
操作表示ユニット３には、ファクシミリの着信があったときに点滅せしめられるＦＡＸ着信通知用ＬＥＤ３１が設けられている。
【００１１】
ユーザは、操作表示ユニット３の位置（傾き）を変更できるようになっている。つまり、ユーザは、複合機１を使用するときには、操作表示ユニット３の操作表示面を上から見やすいようにするために、図１に示すように操作表示ユニット３の操作表示面がほぼ上方を向いてる状態位置（以下、第１位置という）に操作表示ユニット３の位置を設定することができる。
【００１２】
また、ユーザは、複合機１を使用していないときには、ＦＡＸ着信通知用ＬＥＤ３１が複合機１から離れた位置からでも見えるように、図２に示すように操作表示ユニット３の操作表示面がほぼ前方を向いてる状態位置（以下、第２位置という）に、操作表示ユニット３の位置を設定することができる。
【００１３】
操作表示ユニット３の位置の変更方法について説明する。たとえば、図３および図４に示すように、ユニット取り付け部２に縦長孔４を開けておく。また、操作表示ユニット３の裏面の縦長孔４に対応する位置には、ねじ孔５を開けておく。そして、ユニット取り付け部２の裏側からボルト６のねじ部を縦長孔４に貫通させ、操作表示ユニット３のねじ孔５にボルト６のねじ部をゆるくねじ嵌める。そして、操作表示ユニット３を第１位置（図３参照）または第２位置（図４参照）に位置決めしてから、ボルト６を締め付ける。これにより、操作表示ユニット３を第１位置または第２位置に固定することができる。
【００１４】
操作表示ユニット３の位置を変更したい場合には、ボルト６を緩めた後、操作表示ユニット３を変更したい位置に位置決めしてから、ボルト６を締め付ければよい。
【図面の簡単な説明】
【００１５】
【図１】複合機の外観を示し、操作表示ユニットの操作表示面がほぼ上方を向いてる位置に操作表示ユニットが位置している場合の斜視図である。
【図２】複合機の外観を示し、操作表示ユニットの操作表示面がほぼ前方を向いてる位置に操作表示ユニットが位置している場合の斜視図である。
【図３】操作表示ユニット３の位置の変更方法を説明するための説明図である。
【図４】操作表示ユニット３の位置の変更方法を説明するための説明図である。
【符号の説明】
【００１６】
１  複合機
２  ユニット取り付け部
３  操作表示ユニット
４  縦長孔
５  ねじ孔
６  ボルト
３１  ＦＡＸ着信通知用ＬＥＤ
【図１】
2007336589.tif 000003
【図２】
2007336589.tif 000004
【図３】
2007336589.tif 000005
【図４】
2007336589.tif 000006